(57)【要約】【課題】  油脂等の添加物を含まなくても、十分に吸湿性が抑制され、ダマの発生や溶解性が改善された非晶質固形糖及びその製造方法を提供することを課題とする。【解決手段】  ３００μｍ以上の粒径を有する非晶質固形糖は、十分に吸湿性が抑制され、ダマの発生や溶解性が改善されたことを見出した。したがって、３００μｍ以上の粒径を有する非晶質固形糖を提供する。【選択図】  図１
2018102183.tif 000002
【特許請求の範囲】
【請求項１】
３００μｍ以上の粒径を有する非晶質固形糖。
【請求項２】
前記粒径が３００μｍ〜１，８００μｍである、請求項１に記載の非晶質固形糖。
【請求項３】
前記粒径が４００μｍ〜１，４００μｍである、請求項１に記載の非晶質固形糖。
【請求項４】
前記粒径が６００μｍ〜１，０００μｍである、請求項１に記載の非晶質固形糖。
【請求項５】
グルコースを構成糖として、前記構成糖がα−１，４−グリコシド結合又はα−１，６−グリコシド結合により結合されたオリゴ糖を含む、請求項１〜４のいずれか一項に記載の非晶質固形糖。
【請求項６】
前記オリゴ糖は、前記構成糖がα−１，４−グリコシド結合により結合されたマルトオリゴ糖である、請求項５に記載の非晶質固形糖。
【請求項７】
マルトース、マルトトリオース、及びマルトテトラオースの少なくとも一つを含む、請求項１〜６のいずれか一項に記載の非晶質固形糖。
【請求項８】
５０質量％以上のマルトトリオースを含む、請求項１〜７のいずれか一項に記載の非晶質固形糖。
【請求項９】
１５質量％〜４０質量％のマルトース及び３５質量％〜７５質量％のマルトトリオースを含む、請求項１〜７のいずれか一項に記載の非晶質固形糖。
【請求項１０】
液状の非晶質糖質を所定の水分量未満となるように乾燥させる乾燥工程と、
前記乾燥工程により得られた乾燥固形物を粉砕する粉砕工程と、
前記粉砕工程により得られた粉砕物を分級して所定の粒径を有する非晶質固形糖を得る分級工程と、
を含む、請求項１〜９に記載の非晶質固形糖の製造方法。
【発明の詳細な説明】
【技術分野】
【０００１】
本発明は、非晶質固形糖に関する。特に、所定の範囲の粒径を有する非晶質固形糖に関する。
【背景技術】
【０００２】
主に食品や飲料の添加物として用いられる固形糖としては、砂糖（グラニュー糖）、ブドウ糖、結晶マルトース、結晶果糖、エリスリトール等に代表される結晶質（クリスタル）固形糖と、粉飴、粉末水飴等に代表される非晶質（アモルファス）固形糖が知られている。このうち、非晶質固形糖は、結晶質固形糖に比して機能性に優れることから、例えば食品、飲料の製造において広く用いられてきた。
【０００３】
このような非晶質固形糖は、一般的には液状の水飴を噴霧乾燥することによって製造されるために、その平均粒径は５０μｍ〜１５０μｍとごく小さな粒径となり（非特許文献１）、吸湿性が高いことで知られていた（特許文献１）。そして、この吸湿性の高さもあり、当該非晶質固形糖を水や生地に溶解させた際にダマやべたつきが発生し、非晶質固形糖の取り扱いの容易性や作業性の低下につながる恐れがあった。
【０００４】
特許文献１には、この吸湿性の問題に対して、粉糖類の表面に油脂を付着させて改善することが記載されている。しかし、この場合、得られる粉糖類は当然に油脂を含有しており、油脂を必要としない用途への利用は困難であった。
【先行技術文献】
【特許文献】
【０００５】
【特許文献１】特開平１１−０５６２９０号公報
【非特許文献】
【０００６】
【非特許文献１】調理化学  Ｖｏｌ．２５  Ｎｏ．１（１９９２）６６頁〜７５頁  「食品の乾燥（２）」
【発明の概要】
【発明が解決しようとする課題】
【０００７】
本発明は、油脂等の添加物を含まなくても、十分に吸湿性が抑制され、ダマの発生や溶解性が改善された非晶質固形糖及びその製造方法を提供することを課題とする。
【課題を解決するための手段】
【０００８】
本発明者らは、上記課題を解決するために、３００μｍ以上の粒径を有する非晶質固形糖は、十分に吸湿性が抑制され、ダマの発生や溶解性が改善されることを見出した。したがって、本発明の第１の局面は、
（１）３００μｍ以上の粒径を有する非晶質固形糖、である。
【０００９】
本発明の好適な態様は、
（２）上記粒径が３００μｍ〜１，８００μｍである、上記（１）に記載の非晶質固形糖、である。
【００１０】
本発明の好適な態様は、
（３）上記粒径が４００μｍ〜１，４００μｍである、上記（１）に記載の非晶質固形糖である。
【００１１】
本発明の好適な態様は、
（４）上記粒径が６００μｍ〜１，０００μｍである、上記（１）に記載の非晶質固形糖、である。
【００１２】
本発明の好適な態様は、
（５）グルコースを構成糖として、前記構成糖がα−１，４−グリコシド結合又はα−１，６−グリコシド結合により結合されたオリゴ糖を含む、上記（１）〜（４）のいずれかに記載の非晶質固形糖、である。
【００１３】
本発明の好適な態様は、
（６）上記オリゴ糖は、上記構成糖がα−１，４−グリコシド結合により結合されたマルトオリゴ糖である、上記（５）に記載の非晶質固形糖、である。
【００１４】
本発明の好適な態様は、
（７）マルトース、マルトトリオース、及びマルトテトラオースの少なくとも一つを含む、上記（１）〜（６）のいずれかに記載の非晶質固形糖、である。
【００１５】
本発明の好適な態様は、
（８）５０質量％以上のマルトトリオースを含む、上記（１）〜（７）に記載の非晶質固形糖、である。
【００１６】
本発明の好適な態様は、
（９）１５質量％〜４０質量％のマルトース及び３５質量％〜７５質量％のマルトトリオースを含む、上記（１）〜（７）に記載の非晶質固形糖、である。
【００１７】
また、本発明者らは、十分に吸湿性が抑制され、ダマの発生や溶解性が改善された上記（１）〜（９）に記載の非晶質固形糖の製造方法を見出した。したがって、本発明の他の局面は、
（１０）液状の非晶質糖質を所定の水分量未満となるように乾燥させる乾燥工程と、前記乾燥工程により得られた乾燥固形物を粉砕する粉砕工程と、前記粉砕工程により得られた粉砕物を分級して所定の粒径を有する非晶質固形糖を得る分級工程と、を含む、上記（１）〜（９）に記載の非晶質固形糖の製造方法、である。
【発明の効果】
【００１８】
本発明は、十分に吸湿性が抑制され、ダマの発生や溶解性が改善された非晶質固形糖及びその製造方法を提供することができる。
【図面の簡単な説明】
【００１９】
【図１】図１は、非晶質固形糖の各保持時間における水分量を算出した結果を示す図である。
【図２】図２は、非晶質固形糖を添加した各生地の餅搗きを行った後の各臼の外観写真を示す図である。
【発明を実施するための形態】
【００２０】
以下で本発明の非晶質固形糖及びその製造方法を実施する形態を詳細に説明する。ただし、以下の実施形態は、本発明を説明するための一例であり、本願発明が当該実施形態のみに限定されるものではない。
【００２１】
＜非晶質固形糖＞
「非晶質固形糖」とは非晶質な形態を有する固形糖を意味し、例えば食品や飲料の添加物の一つとして用いられるものである。ここで、「非晶質（アモルファス）」とは、原子や分子の配列に長距離の規則性を有しておらず、決まった結晶形や結晶構造を持たない非結晶状態にあることをいう。本実施形態における非晶質固形糖は、砂糖、ブドウ糖、結晶マルトース、結晶果糖、エリスリトール等の特定の結晶構造を有する固形糖とは区別され、粉飴、粉末水飴、粉末デキストリン等がその例として挙げられる。
【００２２】
より具体的には、本実施形態における非晶質固形糖は、グルコースを基本単位、すなわち構成糖として、各グルコースがα−１，４−グリコシド結合又はα−１，６−グリコシド結合により結合された非晶質なオリゴ糖を主成分として含むことが好ましい。
【００２３】
グルコースを構成糖としα−１，４−グリコシド結合により結合されたオリゴ糖としては、マルトオリゴ糖が挙げられる。当該マルトオリゴ糖には、マルトース等の二糖類、マルトトリオース等の三糖類、マルトテトラオース等の四糖類以上の糖類が例として挙げられる。
【００２４】
また、グルコースを構成糖としα−１，６−グリコシド結合により結合されたオリゴ糖としては、イソマルトオリゴ糖等が挙げられる。当該イソマルトオリゴ糖には、イソマルトース等の二糖類、イソマルトトリオース、パノース等の三糖類、イソマルトテトラオース等の四糖類以上の糖類が例として挙げられる。
【００２５】
本実施形態における非晶質固形糖は、上記に記載したものに限定されず、他の非晶質な固形糖を含んでも良い。また、本実施形態における非晶質固形糖としては、上記に例示した糖質のうち少なくとも一つを主成分として含むことが好ましいが、それのみを含むものには限定されない。すなわち、非晶質固形糖は、それを構成する糖質として、上記に例示された糖質や他の非晶質な糖質を複数含有しても良いし、砂糖、ブドウ糖、マルトース等の結晶性を有する糖を一部に含んでいても良い。
【００２６】
本実施形態においては、非晶質固形糖中に含まれる全糖質を１００質量％とした場合に、１０質量％以上、好ましくは５０質量％以上、より好ましくは９０質量％以上の非晶質なオリゴ糖を含む。１０質量％以上の非晶質なオリゴ糖を含む非晶質固形糖であれば、十分に吸湿性が抑制され、ダマの発生や溶解性が改善されるので、その取り扱いも容易であり作業性の向上が期待できる。
【００２７】
好適な例としては、非晶質固形糖中に、５０質量％以上、好ましくは６０質量％以上、より好ましくは７０質量％以上のマルトトリオースを少なくとも含む。５０質量％のマルトトリオースを含む非晶質固形糖であれば、より吸湿性を抑制することが可能となる。
【００２８】
また他の好適な例としては、非晶質固形糖中に、１５質量％〜４０質量％、好ましくは１７．５質量％〜３７．５質量％のマルトース、３５質量％〜７５質量％、好ましくは４５質量％〜５５質量％のマルトトリオース、及び１質量％〜１５質量％、好ましくは５質量％〜１０質量％のマルトテトラオースを含む。当該糖質を含む非晶質固形糖であれば、より吸湿性を抑制することが可能となる。
【００２９】
本実施形態における非晶質固形糖は、粉状、粒状及び顆粒状のいずれでもよく、適宜その用途に応じて形状を調整することが可能である。また、いずれの形状をとる場合であっても、本実施形態における非晶質固形糖は、３００μｍ以上、好ましくは３００μｍ〜１，８００μｍ、さらに好ましくは４００μｍ〜１，４００μｍ、特に好ましくは６００μｍ〜１，０００μｍの粒径を有する。３００μｍ以上の粒径を有する非晶質固形糖であれば、十分に吸湿性が抑制され、ダマの発生や溶解性が改善されるので、その取り扱いも容易であり作業性の向上が期待できる。
【００３０】
本実施形態における非晶質固形糖は、主に食品又は飲料の素材として利用することができる。この食品の例としては、果物類（リンゴ、バナナ、メロン等のカットフルーツ、シロップ漬けなど）、穀物加工品（パン、餅、団子など）、食肉加工品（ハム、ソーセージなど）、乳製品（バター、チーズ、ヨーグルトなど）、果実加工品（ジャム、マーマレードなど）、菓子類（チョコレート、クッキー、ケーキ、ゼリーなど）、クリーム類（ホイップクリーム、キャラメルクリーム、カスタードクリーム、フレッシュクリーム、ピーナッツクリーム、チョコクリーム、バタークリーム、サワークリームなど）、加糖プレミックス粉（ホットケーキの素、ドーナッツの素、蒸パンやクッキー、スポンジケーキ、チョコレートケーキ、チーズケーキの素など）、調味料（醤油、ソース、みりんなど）、サプリメントなどの、様々な食品が挙げられる。また、飲料の例としては、ビール、ノンアルコール飲料、ジュース、コーヒー、紅茶、緑茶、炭酸飲料などの様々な飲料が挙げられる。
【００３１】
また、上記用途で非晶質固形糖を用いる場合、当該非晶質固形糖に加えて、食品又は飲料に適宜所望の成分をさらに添加することも可能である。例えば、ブドウ糖、果糖、ショ糖、マルトース、水飴、乳糖等の他の糖質類、ソルビトール、エリスリトール、マルチトール、キシリトール等の糖アルコール類、アスパルテーム、ステビオサイド、スクラロース、アセスルファムＫ等の高甘味度甘味料、クエン酸、酒石酸、リンゴ酸、コハク酸、乳酸等の有機酸類、Ｌ−アスコルビン酸、ｄｌ−α−トコフェロール、ビタミンＢ類、ニコチン酸アミド、パントテン酸カルシウム等のビタミン類、グリセリン脂肪酸エステル、ポリグリセリン脂肪酸エステル、ショ糖脂肪酸エステル、ソルビタン脂肪酸エステル、プロピレングリコール脂肪酸エステル等の界面活性剤、アラビアガム、カラギーナン、ペクチン、寒天等の増粘剤、カゼイン、ゼラチン等の安定化剤、アミノ酸類、カルシウム塩等ミネラル類、エリソルビン酸ナトリウム、グリセリン、プロピレングリコール等添加物、色素、香料、保存剤等の食品又は飲料素材が挙げられる。
【００３２】
＜非晶質固形糖の製造方法＞
本実施形態においては、非晶質固形糖は、液状の非晶質糖質を原材料として乾燥工程、粉砕工程、そして分級工程を含む方法に処すことにより製造される。
【００３３】
なお、液状の非晶質糖質は、例えばとうもろこし、小麦、米等の地上穀物、甘藷・馬鈴薯・タピオカ等の地下茎穀物等の原材料からデンプンを抽出し、その抽出物に所定の液化酵素及び／又は糖化酵素を用いる方法や、所定の糖組成物をクロマト分離する方法により製造することができる。
【００３４】
液化酵素及び／又は糖化酵素を用いる方法の一例としては、抽出されたデンプンに耐熱性液化型α−アミラーゼを添加して反応させることで液化し、このデンプン液化液に糖化酵素（βアミラーゼやマルトオリゴ糖生成アミラーゼなど）を反応させ糖化する。また、糖化酵素及び枝切り酵素を併用して糖化することもできる。そして、このデンプン糖化液をろ過による固液分離、イオン精製、そして濃縮することにより、液状の非晶質糖質が製造される。
【００３５】
また、クロマト分離を用いる方法の一例としては、ナトリウム型強酸性陽イオン交換樹脂などを充填したカラムに通液し、適宜抜き出すことにより、液状の非晶質糖質が製造される。
【００３６】
このように製造される液状の非晶質糖質としては、例えば商品名「ピュアトースＬ」（群栄化学工業社製）が挙げられる。
【００３７】
本実施形態においては、上記のとおり製造された液状の非晶質糖質を所定の水分量未満となるように乾燥させる（乾燥工程）。この乾燥工程には、加熱乾燥法、流動層乾燥法、噴霧乾燥法、ドラム乾燥法等が、好ましくは加熱乾燥法が用いられる。なお、加熱乾燥法など、加温する工程を含む乾燥法が用いられた場合には、必要に応じて、得られた乾燥固形物を冷却（放冷）してもよい。
【００３８】
加熱乾燥法が用いられた場合、乾燥工程は、例えば商品名「自動連続フィルムクッカーユニット」（ミハマ製作所社製）で、予備濃縮工程、加熱工程、濃縮・乾燥工程に分けて行われる。予備濃縮工程は、目的のＢｒｉｘになるまで、レシーブタンクにおいて、所定の温度で加温して原材料となる液状の非晶質糖質を濃縮させる。このとき、目的のＢｒｉｘとしては、７５％〜９０％、好ましくは８０％〜８５％であることが望ましい。また、所定の温度としては、装置付属の温度計で測定して、１０５℃〜１３０℃、好ましくは１１０℃〜１２０℃であることが望ましい。
【００３９】
加熱工程は、自動連続フィルムクッカーにおいて、実施される。このとき、装置付属の温度計で測定して、１２０℃〜１７０℃、好ましくは１４０℃〜１６０℃まで、予備濃縮工程を経て得られた予備濃縮後の非晶質糖質を加温することが望ましい。
【００４０】
濃縮・乾燥工程は、蒸発缶を用いて、真空度が−０．０３Ｍｐａ〜−０．０８Ｍｐａ、好ましくは−０．０４Ｍｐａ〜−０．０６Ｍｐａで、吐出温度が１１０℃〜１６０℃、好ましくは１３０℃〜１５０℃で実施することが望ましい。
【００４１】
以上の乾燥工程を経て得られた乾燥固形物の水分量は、乾燥工程条件等に応じて適宜調整可能であるが、７質量％未満、好ましくは５質量％未満、さらに好ましくは３質量％未満であることが望ましい。
【００４２】
次に、乾燥工程を経て得られた非晶質固形糖（乾燥固形物）を所定の粉砕機にかけて粉砕する（粉砕工程）。粉砕機としては、架砕式粉砕機（ロールグラニュレーター）、ディスクミル粉砕機、ハンマーミル粉砕機、ピンミル粉砕機、オングミル粉砕機、ボールミル粉砕機、及びジェットミル粉砕機等が、好ましくは架砕式粉砕機が用いられる。
【００４３】
架砕粉砕機は、回転する２本のロール表面に設けられた山と山が力点となり固形物に亀裂を作って粉砕するもので、粉砕された固形物はさらに次のロールに移り、順次細かく整粒することが可能であるが、一例として、商品名「ロールグラニュレーター（型式ＧＲＮ  Ｔ−１５）」（日本グラニュレーター社製）を利用することができる。この際、用いるロールの段数、一対のロール間のクリアランス、及び山と山とのピッチが異なる各種ロールを用いることで、目的粒径の粉砕物を得ることができる。用いるロールの段数は、乾燥工程で得られた乾燥固形物の粒径及び／又は最終的に得たい非晶質固形糖の目的粒径に応じて適宜調整可能である。一例として、一対のロール間のクリアランスは、最終的な非晶質固形糖の目的粒径等に応じて異なるが、０．３ｍｍ〜４．０ｍｍ、好ましくは０．４ｍｍ〜３．８ｍｍ、より好ましくは０．５ｍｍ〜３．５ｍｍであることが望ましい。さらに、各ロールが有する山と山とのピッチは、最終的な非晶質固形糖の目的粒径等に応じて異なるが、０．３ｍｍ〜２５．０ｍｍ、好ましくは０．７ｍｍ〜２３．０ｍｍ、より好ましくは１．０ｍｍ〜２０．０ｍｍであることが望ましい。
【００４４】
次に、粉砕工程を経て得られた非晶質固形糖（粉砕物）を、所望の粒径を有する固形糖を得るために、所望の粒径に対応した目開きを有する篩を用いて分級する（分級工程）。当該分級工程は、超音波式分級法、気流式分級法、及び振動式分級法等を適宜用いることが可能である。
【００４５】
なお、当該分級工程によって、粒径が３００μｍ以上、好ましくは３００μｍ〜１，８００μｍ、さらに好ましくは４００μｍ〜１，４００μｍ、特に好ましくは６００μｍ〜１，０００μｍの非晶質固形糖に分級される。３００μｍ以上の粒径を有する非晶質固形糖であれば、十分に吸湿性が抑制され、ダマやべたつきもなく、その取り扱いも容易であり作業性の向上が期待できる。
【００４６】
なお、本実施形態においては、乾燥工程、粉砕工程、そして分級工程を含む製造方法を用いたが、一部のみを有する工程でも実施することが可能である。また、必要に応じて、殺菌工程など、所望の工程を追加することも可能である。
【００４７】
＜糖組成＞
本実施形態において、得られる非晶質固形糖の糖組成は、一例として、原材料として用いる液状の非晶質糖質の糖組成を測定することにより、測定される。具体的には、原材料として用いる液状の非晶質糖質を純水で所定のＢｒｉｘ（可溶性固形分濃度（％））に希釈し、所定の細孔サイズのフィルターに通液させたのち、高速液体クロマトグラフィー（ＨＰＬＣ：例えば、商品名「Ａｌｌｉａｎｃｅ（登録商標）ＨＰＬＣシステム」（日本ウォーターズ社製）によって測定することが可能である。また、ＨＰＬＣによる測定により得られた数値は、全糖質（固形分換算後の全量）を１００質量％とした場合における各糖質（固形分換算後）の質量％として表される。また、上記例以外にも、最終的に得られた非晶質固形糖を所定のＢｒｉｘになるまで純水で希釈して得られた溶液を使って測定することも可能である。
【００４８】
＜吸湿性の評価＞
非晶質固形糖の吸湿性の評価は、一例として、当該非晶質固形糖から取り出したサンプル中に含まれる水分量に基づいて行う。当該水分量は、得られた非晶質固形糖を所定量分注したフラットシャーレを秤量した後、一定の温度と湿度に保った恒温恒湿槽（例えば、型式「ＫＨＸＩＩＩ−３０Ｐ」（佐竹化学機械工業社製））にて保存する。そして、保存開始後、所定の保存時間ごとに、保存したフラットシャーレを取り出して再度秤量する。次に、保存開始前に予め秤量した質量と保存後に秤量した質量との比較から増加率を求め各保存時間における水分量（質量％）を算出する。
【００４９】
＜溶解性の評価＞
非晶質固形糖の溶解性の評価は、一例として、水に溶解した際の溶け残り、及びダマの発生の有無を目視により確認することによって行う。具体的には、恒温水槽に静置して所定の温度に保持された水を撹拌しているガラスビーカー内に所定量の非晶質固形糖を投入し、所定時間（例えば、投入後１２０秒）経過後、その溶液からサンプリングし、そのＢｒｉｘを測定する。さらに、撹拌を継続し、所定時間（例えば、投入後１，２００秒）経過後に撹拌を終了する。そして、終了時点における非晶質固形糖の溶け残り、及びダマの発生を目視にて評価する。
【００５０】
また、非晶質固形糖の溶解性の評価は、デンプン生地に添加することによっても行うことができる。具体的には、所定の配合で作成したデンプン生地（例えば、団子生地）に得られた非晶質固形糖を所定量添加しながら、餅つき機（例えば、商品名「スタンピングミキサー」（中井機械工業社製））で餅搗きを行う。所定時間経過後に餅つき機の臼への非晶質固形糖の付着や生地への溶け残りを目視にて評価する。
【００５１】
＜Ｂｒｉｘの測定＞
Ｂｒｉｘとは、可溶性固形分濃度（％）のことであり、可溶性固形分が溶解した水溶液の２０℃における屈折率を測定し、ＩＣＵＭＳＡ（Ｉｎｔｅｒｎａｔｉｏｎａｌ  Ｃｏｍｍｉｓｓｉｏｎ  ｆｏｒ  Ｕｎｉｆｏｒｍ  Ｍｅｔｈｏｄｓ  ｏｆ  Ｓｕｇａｒ  Ａｎａｌｙｓｉｓ）提供の換算表に基づいて、純ショ糖溶液の質量／質量パーセントに換算した値のことである。本実施形態においては、ガラスビーカーに非晶質固形糖が投入されて所定時間経過後の溶液を用いて、既に知られている公知の測定法を適宜用いて測定することができ、一般的には市販の糖度計（例えば、デジタル屈折計  商品名「ＲＸ−５０００α」（アタゴ社製））を用いて測定することができる。測定されたＢｒｉｘが高いサンプルほど溶解速度が速いと評価し得る。
【００５２】
以下、実施例により本発明を更に詳しく説明するが、本発明はそれらに限定されるものではない。
【実施例】
【００５３】
Ｉ．吸湿性の評価
［実施例１］
＜粒径３００μｍ〜６００μｍを有する非晶質固形糖の調製＞
１．原材料
原材料として、液状の非晶質糖質（商品名「ピュアトースＬ」（群栄化学工業社製））を用いた（固形分濃度７５％）。当該液状の非晶質糖質の糖組成は、以下のとおり測定した。まず、原材料となる液状の非晶質糖質を純水でＢｒｉｘが２．５％〜５．０％になるように希釈し、０．４５μｍの細孔サイズのメンブレンフィルターに通液させ、通液後の溶液を糖組成分析用サンプルとした。糖組成は、商品名「Ａｌｌｉａｎｃｅ（登録商標）ＨＰＬＣシステム」（日本ウォーターズ社製）を用いて分析した。
（測定条件）
カラム：商品名「ＵＬＴＲＯＮ ＰＳ−８０Ｎ」（島津ジーエルシー社製）
溶媒：純水
温度：６０℃
流速：０．６ｍＬ／ｍｉｎ
検出：ＲＩ（示差屈折率）
【００５４】
用いられた非晶質糖質の糖組成は以下のとおりであった。なお、糖組成の数値は、全糖質（固形分換算後の全量）を１００質量％とした場合における各糖質（固形分換算後）の質量％として表した。
【表１】
2018102183.tif 000003
【００５５】
２．乾燥工程
原材料として準備した液状の非晶質糖質を、加熱乾燥法によって乾燥させた。具体的には、予備濃縮工程、加熱工程、濃縮・乾燥工程を一連で処理可能な装置（商品名「自動連続フィルムクッカーユニット」（ミハマ製作所社製））を用いて、当該装置のカタログに記載の通常の利用方法に従って実施した。予備濃縮工程では、レシーブタンク内に原材料の液状の非晶質糖質を投入し、装置付属の温度計で原材料の品温が１１０℃となるように保持し、Ｂｒｉｘが８２％になるまで加温した。次に、加熱工程では、予備濃縮工程で得られた濃縮後の非晶質糖質を、自動連続フィルムクッカーに投入して、装置付属の温度計で到達温度１５３℃になるまで加熱した。次に、濃縮・乾燥工程では、蒸発缶を用いて、真空度−０．０５ＭＰａ、吐出温度１３３℃で、濃縮・乾燥後の水分が市販品の他の固形糖に従って５質量％未満となるように、加熱後の非晶質糖質を処理した。なお、水分は、商品名「カールフィッシャー水分計」（京都電子工業社製）を使って、当該機器のカタログに記載の方法に従って測定した。以上の工程を経て得られた乾燥固形物（つまり、非晶質固形糖）を蒸発缶から取り出し、室温に静置して冷却した。
【００５６】
３．粉砕工程
乾燥工程により得られた乾燥固形物（非晶質固形糖）を、ロール粉砕機によって粉砕した。具体的には、商品名「ロールグラニュレーター（型式ＧＲＮ  Ｔ−１５）」（日本グラニュレーター社製）に得られた非晶質固形糖を一段目のロール（ロール間のクリアランス：３．５ｍｍ、山と山とのピッチ：２０ｍｍ）、２段目のロール（ロール間のクリアランス：０．６７ｍｍ、山と山とのピッチ：５ｍｍ）、３段目のロール（ロール間のクリアランス：０．９９ｍｍ、山と山とのピッチ：２ｍｍ）、及び４段目のロール（ロール間のクリアランス：０．８３ｍｍ、山と山とのピッチ：１．２ｍｍ）に順次投入した。
【００５７】
４．分級工程
粉砕工程により得られた非晶質固形糖の粉砕物を、本実施例においては所望の粒径を有する固形糖を得るために、ＪＩＳ  Ｚ  ８８０１に規定する試験用ふるいである、商品名「ＪＩＳ試験用ふるい」（飯田製作所社製）を用いて分級した。具体的には、ＪＩＳ  Ｚ  ８８１５の「ふるい分け試験方法通則」の「６．１  乾式ふるい分け試験」の「（１）手動ふるい分け」に記載の方法に従って、まず目開き６００μｍの篩に粉砕物を通過させた。次に、上記のとおり篩に通過された粉砕物を、同様の方法に従って、目開き３００μｍの篩にかけ、通過しなかった残りの粉砕物を回収することで、粒径が３００μｍ〜６００μｍの非晶質固形糖を得た。得られた非晶質固形糖は、相対湿度４０％未満に湿度調整されたデシケータ（商品名「スタンダードデシケータージャンボ  ＳＤ−ＳＰ」（アズワン社製））で保存した。
【００５８】
［実施例２］
＜粒径６００μｍ〜１，０００μｍを有する非晶質固形糖の調製＞
実施例２として、分級工程で、実施例１の粉砕工程で得られた粉砕物を目開き１，０００μｍの篩に通過させ、次に目開き６００μｍの篩にかけ、通過しなかった残りの粉砕物を回収した以外は、実施例１と同様の方法によって、粒径が６００μｍ〜１，０００μｍの非晶質固形糖を得た。
【００５９】
［実施例３］
＜粒径１，０００μｍ〜１，４００μｍを有する非晶質固形糖の調製＞
実施例３として、分級工程で、実施例１の粉砕工程で得られた粉砕物を目開き１，４００μｍの篩に通過させ、次に目開き１，０００μｍの篩にかけ、通過しなかった残りの粉砕物を回収した以外は、実施例１と同様の方法によって、粒径が１，０００μｍ〜１，４００μｍの非晶質固形糖を得た。
【００６０】
［比較例１]
比較例１として、マルトトリオースを主成分とする液状の非晶質糖質を噴霧乾燥法により水分が５％未満に乾燥して得られた非晶質固形糖である、商品名「ピュアトースＰ」（群栄化学工業社製）を用いた。なお、当該非晶質固形糖の平均粒径は、商品名「マイクロトラック」（日機装社製）で測定したところ、１２１．５０μｍであった。また、原材料として用いた液状の非晶質糖質の糖組成は、実施例１と同様の方法で分析した結果、以下のとおりであった。
【表２】
2018102183.tif 000004
【００６１】
［比較例２］
比較例２として、実施例１の粉砕工程で得られた粉砕物を、目開き３００μｍの篩に通過させ、次に目開き６３μｍの篩にかけ、通過しなかった残りの粉砕物を回収した以外は、実施例１と同様の方法によって、粒径が６３μｍ〜３００μｍの非晶質固形糖を得た。
【００６２】
＜吸湿性の評価＞
実施例１〜３並びに比較例１及び２で得られた各非晶質固形糖を、精秤したフラットシャーレ（外径×高さ：Φ４６×１５ｍｍ）（アズワン社製）にそれぞれ０．８００ｇ分注し、分注後の各フラットシャーレを秤量した。次に、３０℃及び相対湿度６０％に設定した恒温恒湿槽（型式「ＫＨＸＩＩＩ−３０Ｐ」（佐竹化学機械工業社製））で各フラットシャーレを保存した。そして、保存開始から０分、２０分、４０分、６０分、９０分、及び１２０分後に、各非晶質固形糖を分注したフラットシャーレを、それぞれフラットシャーレごと秤量し、質量を測定した。そして、保存開始前に予め秤量した質量と保存後の各時点で秤量した質量から増加率をフラットシャーレごとに求め、実施例１〜３並びに比較例１及び２で得られた各非晶質固形糖の、各保存時間における水分量（質量％）を算出した。
【００６３】
図１は、各実施例で用意した非晶質固形糖の各保持時間における水分量を算出した結果を示す図である。図１によれば、比較例１の平均粒径１２１．５０μｍを有する非晶質固形糖、及び比較例２の粒径６３μｍ〜３００μｍを有する非晶質固形糖においては、保存開始後２０分までに約２．５質量％もの水分を吸収・保持し、その後も時間の経過ともに水分量を増加させ、保存開始後１２０分では比較例１で約６．９質量％、比較例２で約５．７質量％の水分を吸収・保持した。一方、実施例１の粒径が３００μｍ〜６００μｍの非晶質固形糖、実施例２の粒径が６００μｍ〜１，０００μｍの非晶質固形糖、実施例３の粒径が１，０００μｍ〜１，４００μｍの非晶質固形糖においては、保存開始から時間の経過とともに徐々に水分量が増加するものの、その水分量は、保存開始後１２０分であっても、約２．９質量％（実施例１）、約２．２質量％（実施例２）、及び約１．６質量％（実施例３）であり、比較例１及び２と比較して明らかに水分の吸収・保持が抑制されたことを示した。すなわち、実施例１〜３の非晶質固形糖においては十分に吸湿性が抑制されたことが確認された。
【００６４】
ＩＩ．溶解性の評価
［実施例４］
＜粒径３００μｍ〜６００μｍを有する非晶質固形糖の調製＞
実施例４として、実施例１と同様の方法によって、粒径が３００μｍ〜６００μｍの非晶質固形糖を得た。
【００６５】
［実施例５］
＜粒径６００μｍ〜１，０００μｍを有する非晶質固形糖の調製＞
実施例５として、分級工程で、実施例４の粉砕工程で得られた粉砕物を目開き１，０００μｍの篩に通過させ、次に目開き６００μｍの篩にかけ、通過しなかった残りの粉砕物を回収した以外は、実施例４と同様の方法によって、粒径が６００μｍ〜１，０００μｍの非晶質固形糖を得た。
【００６６】
［実施例６］
＜粒径１，０００μｍ〜１，４００μｍを有する非晶質固形糖の調製＞
実施例６として、分級工程で、実施例４の粉砕工程で得られた粉砕物を目開き１，４００μｍの篩に通過させ、次に目開き１，０００μｍの篩にかけ、通過しなかった残りの粉砕物を回収した以外は、実施例４と同様の方法によって、粒径が１，０００μｍ〜１，４００μｍの非晶質固形糖を得た。
【００６７】
［比較例３］
比較例３として、比較例１と同様の方法によって、比較例１と同様の非晶質固形糖を得た。
【００６８】
［比較例４］
比較例４として、実施例４の粉砕工程で得られた粉砕物を、目開き３００μｍの篩に通過させ、次に目開き６３μｍの篩にかけ、通過しなかった残りの粉砕物を回収した以外は、実施例４と同様の方法によって、粒径が６３μｍ〜３００μｍの非晶質固形糖を得た。
【００６９】
＜水温５℃の水への溶解性の評価＞
水１７５ｍＬを入れたのちに氷冷により水温を５℃にした５００ｍＬ容量のガラスビーカー（外径×全高：Φ９２ｍｍ×１２１ｍｍの胴外形）を各実施例及び比較例分用意した。そして、商品名「スリーワンモーターＢＬ６００」（新東科学社製）に商品名「トルネード用撹拌羽根（型式ＤＦ−７０、角度つきファン、翼経７０Φｍｍ）」が取り付けられた撹拌シャフト（長さ５００ｍｍ）を、トルネード用撹拌羽根とガラスビーカー底面の間隙が１ｍｍに調節し、撹拌シャフトが当該ガラスビーカーの中心になるようにセットした。その後、スリープワンモーターの回転速度を１００ｒｐｍ（正転）にし、水温が５℃であることを再度確認した。このようにして用意されたガラスビーカー内に、実施例４〜６並びに比較例３及び４の非晶質固形糖７５ｇをそれぞれ１０秒かけて各ガラスビーカー内に投入した。そして、非晶質固形糖を全量投入した時点から１２０秒後に、各ガラスビーカー内の溶液の中心部から１ｍＬの溶液をサンプリングし、サンプリングされた溶液ごとに速やかにＢｒｉｘを測定した。その後、全量投入後１，２００秒まで撹拌を継続した。撹拌終了後に、各ガラスビーカーごとに、それぞれ投入された非晶質固形糖の溶け残り、及びダマの発生を目視にて評価した。なお、Ｂｒｉｘの測定は、溶液ごとに、デジタル屈折計（商品名「ＲＸ−５０００α」（アタゴ社製））を用いて測定した。
【００７０】
表３は、各実施例及び比較例の非晶質固形糖が投入されたガラスビーカーごとに、上記Ｂｒｉｘ、並びに上記溶け残り及びダマの発生を目視で確認した結果を示す。なお、比較例３及び４のＢｒｉｘについては、投入開始後すぐの時点でダマが発生したために均一な溶液をサンプリングすることができず、正確なＢｒｉｘを測定することは不可能であったため、測定不能とした。なお、表中、目視でダマの発生が確認されなかったものは高い溶解性を意味する「○」を付し、目視でダマの発生が確認されたものは低い溶解性を意味する「×」を付した。
【表３】
2018102183.tif 000005
【００７１】
表３によると、各非晶質固形糖の全量投入後１２０秒後において、実施例４〜６ではそれぞれ２９．２６％（実施例４）、２８．００％（実施例５）、及び２７．７５％（実施例６）というＢｒｉｘが測定され、同時点ですでにダマが発生してＢｒｉｘを測定することすらできなかった比較例３及び４と比較して、十分に高い溶解速度であることが示された。また、各非晶質固形糖の全量投入後１，２００秒において、実施例４〜６では非晶質固形糖の溶け残り及びダマの発生が全く確認されなかった一方で、比較例３及び４では非晶質固形糖の溶け残り及びダマの発生が確認され、実施例４〜６の非晶質固形糖が、比較例３及び４の非晶質固形糖に比して、水温５℃の水に対する高い溶解性を有することが示された。
【００７２】
＜水温２５℃の水への溶解性の評価＞
水１５０ｍＬを入れた５００ｍＬ容量のガラスビーカー（外径×全高：Φ９２ｍｍ×１２１ｍｍの胴外形）を各実施例及び比較例分用意し、２５℃に設定した恒温水槽に浸し水温を２５℃としたこと、及び各ガラスビーカーに各非晶質固形糖の量を１００ｇ投入し、その後に水温が２５℃であることを確認したこと以外は「水温５℃の水への溶解性の評価」と同様の方法によって、水温２５℃の水への溶解性を評価した。
【００７３】
表４は、各実施例及び比較例の非晶質固形糖が投入されたガラスビーカーごとに、Ｂｒｉｘ、並びに非晶質固形糖の溶け残り及びダマの発生を確認した結果を示す。なお、比較例３及び４のＢｒｉｘについては、投入開始後すぐの時点でダマが発生したために均一な溶液をサンプリングすることができず、正確なＢｒｉｘを測定することは不可能であったため、測定不能とした。なお、表中、目視でダマの発生が確認されなかったものは高い溶解性を意味する「○」を付し、目視でダマの発生が確認されたものは低い溶解性を意味する「×」を付した。
【表４】
2018102183.tif 000006
【００７４】
表４によると、各非晶質固形糖の全量投入後１２０秒後において、実施例４〜６ではそれぞれ３９．１８％（実施例４）、３９．２０％（実施例５）、及び３８．３２％（実施例６）というＢｒｉｘが測定され、同時点ですでにダマが発生してＢｒｉｘを測定することすらできなかった比較例３及び４と比較して、十分に高い溶解速度であることが示された。また、各非晶質固形糖の全量投入後１，２００秒において、実施例４〜６では非晶質固形糖の溶け残り及びダマの発生が全く確認されなかった。一方で、比較例３及び４では非晶質固形糖の溶け残りは確認されなかったものの、ダマの発生が確認された。すなわち、実施例４〜６の非晶質固形糖が、比較例３及び４の非晶質固形糖に比して、水温２５℃の水に対して十分に高い溶解性を有することが示された。
【００７５】
＜デンプン生地への溶解性の評価＞
上新粉５，０００ｇが投入されたボールに予め沸かしておいた熱湯１，０００ｇを少しずつ加えながら手で捏ねた。熱湯を全量加えた後に、十分生地がまとまったら、実施例４〜６並びに比較例３及び４の分だけ細かくちぎってセイロに並べ、４０分間蒸した。蒸しあがった生地を商品名「スタンピングミキサー」（中井機械工業社製）に移して、生地ごとに各非晶質固形糖を添加しながら３分間餅搗きを行った。そして、餅搗きの終了後に、生地ごとに非晶質固形糖の臼への付着や溶け残りを目視で観察した。なお、各非晶質固形糖の添加は、餅搗き開始後１分間で全て添加し終えるようにした。また、餅搗きでは、鉄にテフロン（登録商標）コーティングした臼を使用した。
【００７６】
図２は、実施例４〜６並びに比較例３及び４の各非晶質固形糖を添加した各生地の餅搗きを行った後の各臼の外観写真を示す図である。なお、各外観写真において、白く写った箇所が、非晶質固形糖が臼に付着して生地への溶け残りがあった箇所である。また、図中、臼底面に極めてわずかの非晶質固形糖の付着があり生地への高い溶解性が確認されたものには「○」を付し、臼底面にわずかの非晶質固形糖の付着があるものの生地への十分に高い溶解性が確認されたものには「△」を付し、臼底面の広い範囲にわたって非晶質固形糖の付着があり低い溶解性を示したものには「×」を付した。
【００７７】
図２によると、比較例３及び４では、臼の底面の広い範囲にわたって非晶質固形糖の付着が確認され生地への溶け残りが多くあった一方で、実施例４及び５では極めてわずかの非晶質固形糖の付着があったのみで生地への高い溶解性が確認された。また、実施例６ではわずかの非晶質固形糖の付着があったものの、比較例３及び４に対して明らかに少ない付着であって、十分に高い生地への溶解性を有することが確認された。
【産業上の利用可能性】
【００７８】
本発明は、十分に吸湿性が抑制され、ダマの発生や溶解性が改善された、３００μｍ以上の粒径を有する非晶質固形糖、及びその製造方法を提供する。したがって、本発明は、例えば食品又は飲料産業において利用可能である。
【図１】
2018102183.tif 000007
【図２】
2018102183.tif 000008